(57)【要約】【課題】男性器に装着したままで排尿が可能であると共に、排尿終了後に生じる尿漏れによるパンツの汚れや、尿の足への垂れによる不快感を確実に防止できる尿漏れ処理具及び尿漏れ処理用パンツを提供する。【解決手段】尿漏れ処理具１０は、伸縮可能な柔かい材質で形成された両端開放の筒状であって、一端から陰茎部に挿嵌される基部１１と、その他端側にて一箇所に固定されると共に、基部１１の径方向反対側に着脱可能に取り付けられて開口１１ａを覆うと共に、その内側面に尿吸収部１５が取り付けられた被覆片１４とを設けている。【選択図】図１
2008259621.tif 000002
【特許請求の範囲】
【請求項１】
伸縮可能な柔かい材質で形成された両端開放の筒状であって、一端から男性の陰茎部に挿嵌される基部と、該基部の他端側にて一箇所に固定されると共に該基部の径方向反対側に着脱可能に取り付けられて他端開口を覆い、内側に尿吸収部を有する柔軟な材質で形成された被覆片とを設けたことを特徴とする尿漏れ処理具。
【請求項２】
伸縮可能な柔かい材質で形成された両端開放の筒状であって、一端から男性の陰茎部に挿嵌される基部と、該基部の他端側に一体で設けられて外方に広がる柔軟な材質で形成された中空のキャップ形状であって周方向の複数個所にて先端に向けて切り欠かれた複数の空隙部を有し、先端の内側に尿吸収部を有する被覆部とを設けたことを特徴とする尿漏れ処理具。
【請求項３】
伸縮可能な柔かい材質で形成された開口部を一つ有する袋状であって、該開口部側の一部にて前記基部の一端側に取り付けられて、該開口部から内部に男性の陰嚢部が挿入可能にされた袋部を設けたことを特徴とする請求項１又は２に記載の尿漏れ処理具。
【請求項４】
前側中央に陰茎取出口を設けたパンツであって、前側の中央の内側面に柔軟な多孔質材料で形成された板状で中央に陰茎収容孔を有する尿漏れ処理材を一体で設けたことを特徴とする尿漏れ処理用パンツ。
【請求項５】
伸縮可能な柔かい材質で形成された開口部を一つ有する袋状であって、該開口部から内部に陰嚢部を挿入可能にされた袋部と、伸縮可能な柔かい材質で環状に形成されて該袋部の開口部側の一箇所に一体で取り付けられて陰茎部に挿嵌される取付部とを設けたことを特徴とする男性器保護具。
【発明の詳細な説明】
【技術分野】
【０００１】
本発明は、男性性器の尿漏れや蒸れ等による不快な状態を処理する尿漏れ処理具、尿漏れ処理用パンツ及び男性器保護具に関する。
【背景技術】
【０００２】
高齢の男性の場合、排尿時の尿切れが悪く、排尿終了後に尿漏れが生じてパンツを汚しやすくなるということが従来から知られている。これに対して、例えば、特許文献１に示すように、男性器の外形に合わせた高分子ポリマー製の先端が球状の筒で、筒の部分にゴムをつけたり、テープで筒の径を変えて任意の大きさの筒にできるようにした男性用尿漏れサックが開示されている。また、特許文献２に示すように、先端が閉塞され、後端を挿入口として、陰茎部を包被可能とする形状に形成されてなる補強膜層の、固定部となる部分を除いた外表面全面に吸水体を積層、一体化すると共に、吸水体の外表面全面を防水膜で覆い尽くす一方、固定部には仮着材が組み込まれ、挿入口部分から先端方向所定長に亘って切り込まれてサイズ調整部に形成された尿漏れ処理用パッドが開示されている。しかし、これら尿漏れサック、尿漏れ処理用パッドについては、先端が閉塞されているため、排尿時にはこれらを一々取り外す必要があり、非常に煩雑であると共に取り外したものの処理に困るという問題がある。
【特許文献１】特開２００５−１７７４１１号公報
【特許文献２】特開平８−５２１６９号公報
【０００３】
また、男性の場合、特に暑い時期等に長時間スポーツ等を続けることにより男性器が蒸れて、皮膚の炎症を起こしやすいということが知られており、これに対する有効な対策がなかった。
【発明の開示】
【発明が解決しようとする課題】
【０００４】
本発明は、上記問題を解決しようとするもので、男性器に装着したままで排尿が可能であると共に、排尿終了後に生じる尿漏れによるパンツの汚れや、尿の足への垂れによる不快感を確実に防止できる尿漏れ処理具及び尿漏れ処理用パンツを提供することを目的とする。また、本発明は、男性器の蒸れによる皮膚の炎症を防止できる男性器保護具を提供することを他の目的とする。
【課題を解決するための手段】
【０００５】
本発明の第１の構成上の特徴は、伸縮可能な柔かい材質で形成された両端開放の筒状であって、一端から男性の陰茎部に挿嵌される基部と、基部の他端側にて一箇所に固定されると共に基部の径方向反対側に着脱可能に取り付けられて他端開口を覆い、内側に尿吸収部を有する柔軟な材質で形成された被覆片とを設けたことにある。
【０００６】
第１の特徴においては、基部をその一端から陰茎部に挿嵌することにより、基部が伸縮可能な柔かい材質で形成されているので簡単にかつ取り付けによる違和感もなく陰茎部に取り付けられる。さらに、基部の他端側にて一箇所に固定された被覆片を曲げてその先端部分を基部の径方向反対側に取り付けることにより、被覆片によって陰茎部の先端が覆われる。そして、排尿時には、被覆片の先端側のみを基部から取り外すことにより、陰茎部先端が露出するため、排尿が可能になる。排尿終了後は、再び被覆片を曲げてその先端部分を基部の径方向反対側に取り付けることにより、陰茎部の先端が被覆片内側の尿吸収部で覆われる。その結果、本発明によれば、残尿による尿漏れが尿吸収部で吸収されるため、尿漏れによるパンツの汚れや、尿の足への垂れによる不快感を確実に防止できる。
【０００７】
また、本発明の第２の特徴は、伸縮可能な柔かい材質で形成された両端開放の筒状であって、一端から男性の陰茎部に挿嵌される基部と、基部の他端側に一体で設けられて外方に広がる柔軟な材質で形成された中空のキャップ形状であって周方向の複数個所にて先端に向けて切り欠かれた複数の空隙部を有し、先端の内側に尿吸収部を有する被覆部とを設けたことにある。
【０００８】
第２の特徴においては、基部をその一端から陰茎部に挿嵌することにより、基部が伸縮可能な柔かい材質で形成されているので簡単にかつ取り付けによる違和感もなく陰茎部に取り付けられ、基部の他端側に設けた被覆部により陰茎部の先端が覆われる。そして、排尿時には、被覆部に設けた一つの空隙部を広げて陰茎部先端を引き出し、被覆部を基部側に引っ張るようにすることにより、陰茎部先端からの排尿が可能になる。排尿終了後は、被覆部を引っ張って空隙部から陰茎部を引っ込めて被覆部を陰茎部先端に被せること、陰茎部の先端が被覆部内側の尿吸収部で覆われる。その結果、本発明によれば、残尿による尿漏れが尿吸収部で吸収されるため、尿漏れによるパンツの汚れや、尿の足への垂れによる不快感を確実に防止できる。
【０００９】
また、第１、第２の特徴において、伸縮可能な柔かい材質で形成された開口部を一つ有する袋状であって、開口部側の一部にて基部の一端側に取り付けられて、開口部から内部に陰嚢部が挿入可能にされた袋部を設けることができる。本発明によれば、上記尿漏れ処理具の作用効果に加えて、陰嚢部を袋部内に収容することにより、陰嚢部が直接太ももに触れることがないので、激しい運動等を行うことにより陰部周辺が蒸れても、陰嚢部が保護されることによりその皮膚疾患を防止できる。
【００１０】
また、本発明の第３の特徴は、前側中央に陰茎取出口を設けたパンツであって、前側の中央の内側面に柔軟な多孔質材料で形成された板状で中央に陰茎収容孔を有する尿漏れ処理材を一体で設けたことにある。
【００１１】
上記構成の第３の特徴においては、男性用のパンツを装着した状態で、排尿時には、通常通りパンツ前面に設けた陰茎取出口から陰茎部を取り出すことにより排尿が行われる。排尿後には、陰茎取出口から陰茎部を引っ込めて、前側の中央の内側面に柔軟な多孔質材料で形成された尿漏れ処理材の中央の陰茎収容孔に陰茎部の先端部分を収容させることができる。そのために、陰茎部の先端が覆われて尿漏れが吸収されるため、尿漏れによるパンツの汚れや、尿の足への垂れによる不快感を確実に防止できる。
【００１２】
また、本発明の第４の特徴は、伸縮可能な柔かい材質で形成された開口部を一つ有する袋状であって、開口部から内部に陰嚢部を挿入可能にされた袋部と、伸縮可能な柔かい材質で環状に形成されて袋部の開口部側の一箇所に一体で取り付けられて陰茎部に挿嵌される取付部とを設けたことにある。
【００１３】
上記構成の第４の特徴においては、環状の取付部を陰茎部に挿嵌し、取付部に取り付けられた袋部を陰嚢部に被せて袋部内に収容することにより、陰嚢部が直接太ももに触れることがないので、激しい運動等を行うことにより陰嚢部周辺が蒸れても、陰嚢部が保護されることにより皮膚疾患を防止できる。
【発明の効果】
【００１４】
本発明によれば、残尿による尿漏れが、尿漏れ処理具の尿吸収部あるいは尿漏れ処理用パンツの尿漏れ処理材で吸収されるため、尿漏れによるパンツの汚れや、尿の足への垂れによる不快感を確実に防止できる。また、本発明によれば、男性器に装着したままで排尿が可能であると共に、排尿終了後に生じる尿漏れによるパンツの汚れや、尿の足への垂れによる不快感を確実に防止できる。また、本発明によれば、袋部を陰嚢部に被せて袋部内に収容することにより、陰嚢部が直接太ももに触れることがないので、陰嚢部周辺が蒸れても、陰嚢部が保護されることにより皮膚疾患を防止できる。
【発明を実施するための最良の形態】
【００１５】
以下、本発明の実施の形態について説明する。図１〜図３は、実施例１に係る尿漏れ処理具を正面図、右側面図及び使用状態での正面図により示したものである。尿漏れ処理具１０は、伸縮可能な柔かい材質で形成された両端開放の筒状であって、一端から陰茎部１に挿嵌される基部１１と、その他端側にて一箇所に固定されると共に、基部１１の径方向反対側に着脱可能に取り付けられて開口１１ａを覆うと共に、その内側面に尿吸収部１５が取り付けられた被覆片１４とを設けている。
【００１６】
基部１１は、陰茎部１に合わせて伸縮自在な木綿等の繊維、ポリエステル等の合成繊維、紙等の材質で形成されている。基部１１の他端の一部には、面状ファスナ等で形成された固定部１２が取り付けられている。被覆片１４は、液体不透過性のプラスチック、あるいは不透過性処理を施した繊維等の材質で形成されており、その内側面に尿を吸収する多孔質の木綿、ポリエステル、紙等の材質である尿吸収部１５が取り付けられている。被覆片１４の一端は基部１１先端に固定され、他端には面状ファスナ等からなる取付部１６が設けられており、基部１１に設けた固定部１２に係止させることにより、被覆片１４が基部１１に取り付けられるようになっている。
【００１７】
上記構成の実施例１においては、基部１１をその一端から陰茎部１に挿嵌することにより、基部１１が伸縮可能な柔かい材質で形成されているので簡単にかつ取り付けによる違和感もなく陰茎部１に取り付けられる。さらに、基部１１の他端側にて一箇所に固定された被覆片１４を曲げてその先端の取付部１６を基部１１の径方向反対側の固定部１２に取り付けることにより、被覆片１４によって陰茎部１の先端が覆われる。そして、排尿時には、被覆片１４の先端側のみを基部１１から取り外すことにより、陰茎部１先端が簡単に露出するため、排尿が容易に行われる。排尿終了後は、再び被覆片１４を曲げてその先端の取付部１６を基部１１の固定部１２に取り付けることにより、陰茎部１の先端が被覆片１４内側の尿吸収部１５で覆われる。その結果、実施例１によれば、残尿による尿漏れが尿吸収部１５で吸収されるため、尿漏れによるパンツの汚れや、尿の足への垂れによる不快感を確実に防止できる。
【００１８】
次に、実施例２について説明する。図４、図５は、実施例２に係る尿漏れ処理具を正面図及び右側面図により示したものである。尿漏れ処理具２０は、伸縮可能な柔かい材質で形成された両端開放の筒状であって、一端から男性の陰茎部に挿嵌される基部２１と、その他端側に一体で設けられて外方に広がる柔軟な材質で形成された中空のキャップ形状の被覆部２３とを備えたものである。基部２１は、上記基部１１と同様の構造である。被覆部２３は、液体不透過性のプラスチック製、あるいは不透過性処理を施した繊維製等の材質であり、周方向の３個所にて先端に向けて周方向に大きく切り欠かれた３つの空隙部２４になっており、その先端部２５と基部２１とを連結する幅の小さい３つの連結片２６を有している。被覆部２３は、先端部２５の内側面に尿を吸収する多孔質の木綿、ポリエステル、紙等の材質である尿吸収部２７が取り付けられている。
【００１９】
上記構成の実施例２においては、基部２１をその一端から陰茎部（図示しない）に挿嵌することにより、基部２１が伸縮可能な柔かい材質で形成されているので簡単にかつ取り付けによる違和感もなく陰茎部に取り付けられ、基部２１の他端側に設けた被覆部２３により陰茎部の先端が覆われる。そして、排尿時には、被覆部２３に設けた一つの空隙部２４を広げて陰茎部先端を引き出し、被覆部２３を基部２１側に引っ張るようにすることにより、露出した陰茎部先端からの排尿が可能になる。排尿終了後は、被覆部２３を引っ張って空隙部２４から陰茎部を引っ込めて被覆部２３を陰茎部１先端に被せること、陰茎部の先端が被覆部２３内側の尿吸収部２７で覆われる。その結果、実施例２によれば、残尿による尿漏れが尿吸収部２７で吸収されるため、尿漏れによるパンツの汚れや、尿の足への垂れによる不快感を確実に防止できる。
【００２０】
次に、実施例３について説明する。図６、図７は、実施例３に係る尿漏れ処理用パンツを正面図及びＶＩＩ−ＶＩＩ線断面図により示したものである。尿漏れ処理用パンツ３０は、前側中央に陰茎取出口３１を設けた男性用パンツであって、前側の中央の内側面に柔軟な多孔質材料で形成された板状で中央に陰茎収容孔３４を有する尿漏れ処理材３３を一体で設けたものである。
【００２１】
実施例３においては、尿漏れ処理用パンツ３０を装着した状態で、排尿時には、通常通りパンツ前面の陰茎取出口３１から陰茎部を取り出すことにより排尿が行われる。排尿後には、陰茎取出口３１から陰茎部を引っ込めて、前側の中央の内側面に柔軟な多孔質材料で形成された尿漏れ処理材３３の中央の陰茎収容孔３４に陰茎部１の先端部分を収容させることができる。そのために、陰茎部の先端が尿漏れ処理材３３で覆われて尿漏れが吸収されるため、尿漏れによるパンツの汚れや、尿の足への垂れによる不快感を確実に防止できる。
【００２２】
次に、実施例４について説明する。図８、図９は、実施例４に係る男性器保護具を使用状態での正面図及び左側面図により示したものである。男性器保護具４０は、伸縮可能な柔かい材質で形成された開口部４２を一つ有する袋部４１と、その開口部４２の一箇所に一体で取り付けられて陰茎部１に挿嵌される環状の取付部４５とを設けている。袋部４１は、外側部４３が液体不透過性のプラスチック製、あるいは不透過性処理を施した繊維製等の材質であり、その内側面に尿を吸収する多孔質の木綿、ポリエステル、紙等の材質である尿吸収部４４が取り付けられている。取付部４５は、伸縮自在な木綿等の繊維、ポリエステル等の合成繊維、紙等の材質で形成されている。
【００２３】
上記構成の実施例４においては、環状の取付部４５を陰茎部１に挿嵌し、取付部４５に取り付けられた袋部４１を開口部４２から陰嚢部２に被せて、袋部４１内に陰嚢部２を収容することにより、陰嚢部２が直接太ももに触れることがない。そのため、装着者が激しい運動等を行うことによりその陰嚢部２周辺が蒸れても、陰嚢部２が袋部４１で保護されることにより陰嚢部２の皮膚疾患を防止できる。
【００２４】
次に、実施例５について説明する。図１０は、実施例５に係る男性器保護具付尿漏れ処理具５０を正面図により示したものである。男性器保護具付尿漏れ処理具５０は、上記尿漏れ処理具１０の一端側に、取付部４５を除いた上記男性器保護具４０の袋部４１を開口部４２側の一部にて直接取り付けたものである。これにより、実施例５においては、尿漏れ処理具１０による上記効果に加えて、男性器保護具４０による上記効果を合わせて得ることができる。
【００２５】
なお、上記実施例１〜５に示した尿漏れ処理具、尿漏れ処理用パンツ、男性器保護具、男性器保護具付尿漏れ処理具の具体的構造等については一例であり、本発明の趣旨を逸脱しない範囲で、種々変更して実施することが可能である。
【産業上の利用可能性】
【００２６】
本発明の尿漏れ処理具、尿漏れ処理用パンツは、男性器に装着したままで排尿が可能であると共に、排尿終了後に生じる尿漏れによるパンツの汚れや、尿の足への垂れによる不快感を確実に防止できる。また、本発明の男性器保護具は、袋部を陰嚢部に被せて袋部内に収容することにより、陰嚢部が直接太ももに触れることがないので、激しい運動等を行うことにより陰嚢部周辺が蒸れても、陰嚢部が保護されることにより皮膚疾患を防止できる。従って、本発明は、有用である。
【図面の簡単な説明】
【００２７】
【図１】本発明の実施例１である尿漏れ処理具の概略構成を示す正面図である。
【図２】同尿漏れ処理具を示す右側面図である。
【図３】同尿漏れ処理具の使用状態を示す正面図である。
【図４】実施例２である尿漏れ処理具の概略構成を示す正面図である。
【図５】同尿漏れ処理具を示す右側面図である。
【図６】実施例３である尿漏れ処理パンツを示す正面図である。
【図７】同尿漏れ処理用パンツを示す図６のＶＩＩ−ＶＩＩ線方向の断面図である。
【図８】実施例４である男性器保護具の使用状態を示す正面図である。
【図９】同男性器保護具を示す左側面図である。
【図１０】実施例５である男性器保護具付尿漏れ処理具を示す正面図である。
【符号の説明】
【００２８】
１０…尿漏れ処理具、１１…基部、１１ａ…開口、１４…被覆片、１５…尿吸収部、２０…尿漏れ処理具、２１…基部、２３…被覆部、２４…空隙部、２７…尿吸収部、３０…尿漏れ処理用パンツ、３３…尿漏れ処理材、３４…陰茎収容孔、４０…男性器保護具、４１…袋部、４２…開口部、４４…尿吸収部、４５…取付部。
【図１】
2008259621.tif 000003
【図２】
2008259621.tif 000004
【図３】
2008259621.tif 000005
【図４】
2008259621.tif 000006
【図５】
2008259621.tif 000007
【図６】
2008259621.tif 000008
【図７】
2008259621.tif 000009
【図８】
2008259621.tif 000010
【図９】
2008259621.tif 000011
【図１０】
2008259621.tif 000012